(57)【特許請求の範囲】
【請求項１】
部屋の空気を換気する換気装置であって、
前記部屋の空気を室外に排気する排出風路と、
前記排出風路に設けられたファンと、
商業電源を使用して前記ファンの運転を制御する制御部と、
前記商業電源から供給される電源電圧が第１の電圧より低い第２の電圧であるかを判定する判定部と、を備え、
前記判定部は、
前記ファンの回転数を第１の回転数で回転するように、前記制御部が前記ファンの運転を制御した場合において、
前記ファンの指示電圧が予め設定される第１指示電圧閾値よりも低いとき、前記商業電源から供給される電源電圧が前記第１の電圧であると判定するとともに電源電圧の判定を終了し、
前記ファンの指示電圧が前記第１指示電圧閾値よりも高いとき、前記ファンの回転数を第１の回転数より大きい第２の回転数で回転するように、前記制御部が前記ファンの運転を制御し、前記商業電源から供給される電源電圧が前記第２の電圧であるか否かを判定する
ことを特徴とする換気装置。
【請求項２】
前記判定部は、
前記ファンの回転数を第１の回転数より大きい第２の回転数で回転するように、前記制御部が前記ファンの運転を制御した場合において、
前記ファンの回転数が前記第１の電圧に対応する回転数に達しないとき、前記商業電源から供給される電源電圧が前記第２の電圧であると判定する
ことを特徴とする請求項１に記載の換気装置。
【請求項３】
前記判定部は、
前記ファンの回転数を第１の回転数より大きい第２の回転数で回転するように、前記制御部が前記ファンの運転を制御した場合において、
前記ファンの指示電圧が前記第２の電圧に対応する指示電圧に達するとき、前記商業電源から供給される電源電圧が前記第２の電圧であると判定する
ことを特徴とする請求項１に記載の換気装置。
【請求項４】
部屋の空気を換気する換気装置であって、
前記部屋の空気を室外に排気する排出風路と、
前記排出風路に設けられたファンと、
商業電源を使用して前記ファンの運転を制御する制御部と、
前記商業電源から供給される電源電圧が第１の電圧より低い第２の電圧であるかを判定する判定部と、を備え、
前記判定部は、
前記ファンの回転数を第１の回転数で回転するように、前記制御部が前記ファンの運転を制御した場合において、
前記ファンの指示電圧が予め設定される第１指示電圧閾値よりも低いとき、前記商業電源から供給される電源電圧が前記第１の電圧であると判定するとともに電源電圧の判定を終了し、
前記ファンの指示電圧が前記第１指示電圧閾値よりも高いとき、前記ファンの指示電圧を第１の指示電圧より高い第２の指示電圧となるように、前記制御部が前記ファンの運転を制御し、前記商業電源から供給される電源電圧が前記第２の電圧であるか否かを判定する
ことを特徴とする換気装置。
【請求項５】
前記判定部は、
前記ファンの指示電圧を第１の指示電圧より高い第２の指示電圧となるように、前記制御部が前記ファンの運転を制御した場合において、
前記ファンの回転数が前記第１の電圧に対応する回転数に達しないとき、前記商業電源から供給される電源電圧が前記第２の電圧であると判定する
ことを特徴とする請求項４に記載の換気装置。
【請求項６】
部屋の空気を換気する換気装置であって、
前記部屋の空気を室外に排気する排出風路と、
前記排出風路に設けられたファンと、
商業電源を使用して前記ファンの運転を制御する制御部と、
前記商業電源から供給される電源電圧が第１の電圧より低い第２の電圧であるかを判定する判定部と、を備え、
前記判定部は、
前記ファンの指示電圧を第１の指示電圧となるように、前記制御部が前記ファンの運転を制御した場合において、
前記ファンの回転数が予め設定される第１回転数閾値よりも高いとき、前記商業電源から供給される電源電圧が前記第１の電圧であると判定するとともに電源電圧の判定を終了し、
前記ファンの回転数が前記第１回転数閾値よりも低いとき、前記ファンの回転数を第１の回転数より大きい第２の回転数で回転するように、前記制御部が前記ファンの運転を制御し、前記商業電源から供給される電源電圧が前記第２の電圧であるか否かを判定する
ことを特徴とする換気装置。
【請求項７】
前記判定部は、
前記ファンの回転数を第１の回転数より大きい第２の回転数で回転するように、前記制御部が前記ファンの運転を制御した場合において、
前記ファンの回転数が前記第１の電圧に対応する回転数に達しないとき、前記商業電源から供給される電源電圧が前記第２の電圧であると判定する
ことを特徴とする請求項６に記載の換気装置。
【請求項８】
前記判定部は、
前記ファンの回転数を第１の回転数より大きい第２の回転数で回転するように、前記制御部が前記ファンの運転を制御した場合において、
前記ファンの指示電圧が前記第２の電圧に対応する指示電圧に達するとき、前記商業電源から供給される電源電圧が前記第２の電圧であると判定する
ことを特徴とする請求項６に記載の換気装置。
【請求項９】
部屋の空気を換気する換気装置であって、
前記部屋の空気を室外に排気する排出風路と、
前記排出風路に設けられたファンと、
商業電源を使用して前記ファンの運転を制御する制御部と、
前記商業電源から供給される電源電圧が第１の電圧より低い第２の電圧であるかを判定する判定部と、を備え、
前記判定部は、
前記ファンの指示電圧を第１の指示電圧となるように、前記制御部が前記ファンの運転を制御した場合において、
前記ファンの回転数が予め設定される第１回転数閾値よりも高いとき、前記商業電源から供給される電源電圧が前記第１の電圧であると判定するとともに電源電圧の判定を終了し、
前記ファンの回転数が前記第１回転数閾値よりも低いとき、前記ファンの指示電圧を第１の指示電圧より高い第２の指示電圧となるように、前記制御部が前記ファンの運転を制御し、前記商業電源から供給される電源電圧が前記第２の電圧であるか否かを判定する
ことを特徴とする換気装置。
【請求項１０】
前記判定部は、
前記ファンの指示電圧を第１の指示電圧より高い第２の指示電圧となるように、前記制御部が前記ファンの運転を制御した場合において、
前記ファンの回転数が前記第１の電圧に対応する回転数に達しないとき、前記商業電源から供給される電源電圧が前記第２の電圧であると判定する
ことを特徴とする請求項９に記載の換気装置。
【請求項１１】
前記判定部は、前記商業電源から電力供給がなされた時に、前記商業電源から供給される電源電圧が第１の電圧より低い第２の電圧であるかを判定する
ことを特徴とする請求項１乃至請求項１０の何れか１項に記載の換気装置。
【請求項１２】
前記制御部は、前記部屋の空気を室外に排気する風量が一定となるように、前記ファンの運転を制御する
ことを特徴とする請求項１乃至請求項１１の何れか１項に記載の換気装置。
【請求項１３】
請求項１乃至請求項１２の何れか１項に記載の換気装置は、浴室に設けられる浴室乾燥機であることを特徴とする。
【発明の詳細な説明】
【技術分野】
【０００１】
本発明は、部屋の空気を換気する換気装置に関する。
【背景技術】
【０００２】
換気装置として、商業電源から供給される電力と、デューティ制御信号とに基づいてファンを回転させるモータの回転数を制御されるものが知られている。日本の家庭用においても、比較的大きな消費電力となる電化製品に対応するために２００Ｖの商業電源も供給されている。このような状況に対応するために、換気装置も１００Ｖ仕様のものと２００Ｖ仕様のものとが品揃えされている。
【０００３】
ところで、２００Ｖ仕様の換気装置を１００Ｖの商業電源に接続すると、換気装置の電気系システムが想定している電源電圧に不足するためモータの回転数が狙いよりも低くなる。そこで、商業電源から供給される電源電圧とモータを使用する換気装置が対応する電圧との不整合、すなわち換気装置の想定とは異なる電圧電源への誤接続を検出することが提案されている（例えば、下記特許文献１参照）。
【先行技術文献】
【特許文献】
【０００４】
【特許文献１】特許第４７７５６７０号公報
【発明の概要】
【発明が解決しようとする課題】
【０００５】
しかしながら、特許文献１の換気装置では、モータに入力されるデューティ制御信号を固定していることから、２００Ｖ仕様の換気装置が２００Ｖの商業電圧に正しく接続されている場合であっても、モータを必要以上の回転数で回転させて電源電圧異常判定を行うため、モータが回転する際に生じる騒音が大きいという課題があった。
【０００６】
そこで、本発明はこのような課題に鑑みてなされたものであり、その目的は、商業電源から供給される電源電圧が第１の電圧より低い第２の電圧であるかを判定する場合において、モータが回転する際に生じる騒音を抑えることができる換気装置を提供することにある。
【課題を解決するための手段】
【００１３】
上記課題を解決するために、本発明に係る換気装置は、部屋の空気を換気する換気装置であって、前記部屋の空気を室外に排気する排出風路と、前記排出風路に設けられたファンと、商業電源を使用して前記ファンの運転を制御する制御部と、前記商業電源から供給される電源電圧が第１の電圧より低い第２の電圧であるかを判定する判定部と、を備え、前記判定部は、前記ファンの回転数を第１の回転数で回転するように、前記制御部が前記ファンの運転を制御した場合において、前記ファンの指示電圧が予め設定される第１指示電圧閾値よりも低いとき、前記商業電源から供給される電源電圧が前記第１の電圧であると判定するとともに電源電圧の判定を終了し、前記ファンの指示電圧が前記第１指示電圧閾値よりも高いとき、前記ファンの回転数を第１の回転数より大きい第２の回転数で回転するように、前記制御部が前記ファンの運転を制御し、前記商業電源から供給される電源電圧が前記第２の電圧であるか否かを判定することを特徴とする。
【００１４】
本発明に係る換気装置によれば、商業電源から供給される電源電圧が第１の電圧より低い第２の電圧であるかを判定する場合において、まずファンの回転数を第１の回転数でファンを回転させて判定部が第２の電圧であるか判定することから、モータが回転する際に生じる騒音を抑えることができる。
【００１５】
また、本発明に係る換気装置では、前記判定部は、前記ファンの回転数を第１の回転数より大きい第２の回転数で回転するように、前記制御部が前記ファンの運転を制御した場合において、前記ファンの回転数が前記第１の電圧に対応する回転数に達しないとき、前記商業電源から供給される電源電圧が前記第２の電圧であると判定することを特徴とすることが好ましい。
【００１６】
この好ましい態様では、ファンの回転数が第１の電圧に対応する回転数に達しない場合、判定部が第２の電圧であるか判定することから、第２の電圧であることを精度よく判別できる。
【００１７】
また、本発明に係る換気装置では、前記判定部は、前記ファンの回転数を第１の回転数より大きい第２の回転数で回転するように、前記制御部が前記ファンの運転を制御した場合において、前記ファンの指示電圧が前記第２の電圧に対応する指示電圧に達するとき、前記商業電源から供給される電源電圧が前記第２の電圧であると判定することを特徴とすることが好ましい。
【００１８】
この好ましい態様では、ファンの指示電圧が第２の電圧に対応する指示電圧に達する場合、判定部が第２の電圧であるか判定することから、第２の電圧であることを精度よく判別できる。
【００１９】
また、上記課題を解決するために、本発明に係る換気装置では、部屋の空気を換気する換気装置であって、前記部屋の空気を室外に排気する排出風路と、前記排出風路に設けられたファンと、商業電源を使用して前記ファンの運転を制御する制御部と、前記商業電源から供給される電源電圧が第１の電圧より低い第２の電圧であるかを判定する判定部と、を備え、前記判定部は、前記ファンの回転数を第１の回転数で回転するように、前記制御部が前記ファンの運転を制御した場合において、前記ファンの指示電圧が予め設定される第１指示電圧閾値よりも低いとき、前記商業電源から供給される電源電圧が前記第１の電圧であると判定するとともに電源電圧の判定を終了し、前記ファンの指示電圧が前記第１指示電圧閾値よりも高いとき、前記ファンの指示電圧を第１の指示電圧より高い第２の指示電圧となるように、前記制御部が前記ファンの運転を制御し、前記商業電源から供給される電源電圧が前記第２の電圧であるか否かを判定することを特徴とする。
【００２０】
本発明に係る換気装置によれば、商業電源から供給される電源電圧が第１の電圧より低い第２の電圧であるかを判定する場合において、まずファンの回転数を第１の回転数でファンを回転させて判定部が第２の電圧であるか判定することから、モータが回転する際に生じる騒音を抑えることができる。
【００２１】
また、本発明に係る換気装置では、前記判定部は、前記ファンの指示電圧を第１の指示電圧より高い第２の指示電圧となるように、前記制御部が前記ファンの運転を制御した場合において、前記ファンの回転数が前記第１の電圧に対応する回転数に達しないとき、前記商業電源から供給される電源電圧が前記第２の電圧であると判定することが好ましい。
【００２２】
この好ましい態様では、ファンの回転数が第１の電圧に対応する回転数に達しない場合、判定部が第２の電圧であるか判定することから、第２の電圧であることを精度よく判別できる。
【００２３】
また、上記課題を解決するために、本発明に係る換気装置では、部屋の空気を換気する換気装置であって、前記部屋の空気を室外に排気する排出風路と、前記排出風路に設けられたファンと、商業電源を使用して前記ファンの運転を制御する制御部と、前記商業電源から供給される電源電圧が第１の電圧より低い第２の電圧であるかを判定する判定部と、を備え、前記判定部は、前記ファンの指示電圧を第１の指示電圧となるように、前記制御部が前記ファンの運転を制御した場合において、前記ファンの回転数が予め設定される第１回転数閾値よりも高いとき、前記商業電源から供給される電源電圧が前記第１の電圧であると判定するとともに電源電圧の判定を終了し、前記ファンの回転数が前記第１回転数閾値よりも低いとき、前記ファンの回転数を第１の回転数より大きい第２の回転数で回転するように、前記制御部が前記ファンの運転を制御し、前記商業電源から供給される電源電圧が前記第２の電圧であるか否かを判定することを特徴とする。
【００２４】
本発明に係る換気装置によれば、商業電源から供給される電源電圧が第１の電圧より低い第２の電圧であるかを判定する場合において、まずファンの回転数を第１の回転数でファンを回転させて判定部が第２の電圧であるか判定することから、モータが回転する際に生じる騒音を抑えることができる。
【００２５】
また、本発明に係る換気装置では、前記判定部は、前記ファンの回転数を第１の回転数より大きい第２の回転数で回転するように、前記制御部が前記ファンの運転を制御した場合において、前記ファンの回転数が前記第１の電圧に対応する回転数に達しないとき、前記商業電源から供給される電源電圧が前記第２の電圧であると判定することが好ましい
【００２６】
この好ましい態様では、ファンの回転数が第１の電圧に対応する回転数に達しない場合、判定部が第２の電圧であるか判定することから、第２の電圧であることを精度よく判別できる。
【００２７】
また、本発明に係る換気装置では、前記判定部は、前記ファンの回転数を第１の回転数より大きい第２の回転数で回転するように、前記制御部が前記ファンの運転を制御した場合において、前記ファンの指示電圧が前記第２の電圧に対応する指示電圧に達するとき、前記商業電源から供給される電源電圧が前記第２の電圧であると判定することが好ましい。
【００２８】
この好ましい態様では、ファンの指示電圧が第２の電圧に対応する指示電圧に達する場合、判定部が第２の電圧であるか判定することから、第２の電圧であることを精度よく判別できる。
【００２９】
また、上記課題を解決するために、本発明に係る換気装置では、部屋の空気を換気する換気装置であって、前記部屋の空気を室外に排気する排出風路と、前記排出風路に設けられたファンと、商業電源を使用して前記ファンの運転を制御する制御部と、前記商業電源から供給される電源電圧が第１の電圧より低い第２の電圧であるかを判定する判定部と、を備え、前記判定部は、前記ファンの指示電圧を第１の指示電圧となるように、前記制御部が前記ファンの運転を制御した場合において、前記ファンの回転数が予め設定される第１回転数閾値よりも高いとき、前記商業電源から供給される電源電圧が前記第１の電圧であると判定するとともに電源電圧の判定を終了し、前記ファンの回転数が前記第１回転数閾値よりも低いとき、前記ファンの指示電圧を第１の指示電圧より高い第２の指示電圧となるように、前記制御部が前記ファンの運転を制御し、前記商業電源から供給される電源電圧が前記第２の電圧であるか否かを判定することを特徴とする。
【００３０】
本発明に係る換気装置によれば、商業電源から供給される電源電圧が第１の電圧より低い第２の電圧であるかを判定する場合において、まずファンの指示電圧を第１の指示電圧でファンを回転させて判定部が第２の電圧であるか判定することから、モータが回転する際に生じる騒音を抑えることができる。
【００３１】
また、本発明に係る換気装置では、前記判定部は、前記ファンの指示電圧を第１の指示電圧より高い第２の指示電圧となるように、前記制御部が前記ファンの運転を制御した場合において、前記ファンの回転数が前記第１の電圧に対応する回転数に達しないとき、前記商業電源から供給される電源電圧が前記第２の電圧であると判定することが好ましい。
【００３２】
この好ましい態様では、ファンの回転数が第１の電圧に対応する回転数に達しない場合、判定部が第２の電圧であるか判定することから、第２の電圧であることを精度よく判別できる。
【００３３】
また、本発明に係る換気装置では、前記判定部は、前記商業電源から電力供給がなされた時に、前記商業電源から供給される電源電圧が第１の電圧より低い第２の電圧であるかを判定することが好ましい。
【００３４】
この好ましい態様では、天井裏や壁内配線による接続のある換気装置について、商業電源から供給される電源電圧が第２の電圧である場合にその旨を早期に判定し、例えば施工者等への報知に繋げることができる。
【００３５】
また、本発明に係る換気装置では、前記制御部は、前記部屋の空気を室外に排気する風量が一定となるように、前記ファンの運転を制御することが好ましい。
【００３６】
この好ましい態様では、判定部が第２の電圧であることを精度よく判別でき、商業電源から供給される電源電圧が第１の電圧のまま換気することがなくなり、所定の風量で室外に排気できるようになる。
【００３７】
また、本発明に係る換気装置では、浴室に設けられる浴室乾燥機であることが好ましい。
【００３８】
この好ましい態様では、判定部が第２の電圧であることを精度よく判別でき、商業電源から供給される電源電圧が第１の電圧のまま換気することがなくなり、湿気が多く換気が必要とされる浴室の換気を適切に行なうことができる。
【発明の効果】
【００３９】
本発明によれば、商業電源から供給される電源電圧が第１の電圧より低い第２の電圧であるかを判定する場合において、モータが回転する際に生じる騒音を抑えることができる換気装置を提供することにある。
【図面の簡単な説明】
【００４０】
【図１】本発明の実施の形態にかかる浴室衣類乾燥装置が設置された浴室を表す模式的断面図である。
【図２】本実施形態にかかる浴室衣類乾燥装置の要部構成を表すブロック図である。
【図３】本実施形態にかかる他の浴室衣類乾燥装置の要部構成を表すブロック図である。
【図４】本実施形態にかかる浴室衣類乾燥装置の衣類乾燥運転を説明する模式的概念図である。
【図５】本実施形態の浴室衣類乾燥装置の具体例を例示する模式的断面図である。
【図６】本具体例の暖房運転時におけるダンパの位置を表す模式的断面図である。
【図７】本具体例の温風乾燥運転および涼風乾燥運転時のダンパの位置を表す模式的断面図である。
【図８】本具体例の換気運転時のダンパの位置を表す模式的断面図である。
【図９】本実施形態の浴室衣類乾燥装置の具体例を例示する模式的断面図である。
【図１０】本実施形態にかかる浴室衣類乾燥装置の動作の具体例を表すフローチャート図である。
【図１１】本実施形態にかかる浴室衣類乾燥装置の動作の具体例を表す模式的概略図である。
【図１２】衣類乾燥設定時間と外気温との関係におけるヒータ出力時間の一例を例示する表である。
【図１３】本実施形態にかかる浴室衣類乾燥装置の動作の具体例を表すタイミングチャート図である。
【図１４】本実施形態にかかる浴室衣類乾燥装置の動作の他の具体例を表すタイミングチャート図である。
【図１５】本実施形態にかかる浴室衣類乾燥装置の動作のさらに他の具体例を表すタイミングチャート図である。
【図１６】本実施形態にかかる浴室衣類乾燥装置の動作のさらに他の具体例を表すタイミングチャート図である。
【図１７】本実施形態にかかる浴室衣類乾燥装置のコントローラを示す図である。
【図１８】本実施形態にかかる換気装置の動作の具体例を表すタイミングチャート図である。
【図１９】本実施形態にかかる報知手段の動作の具体例を表す模式的概略図である。
【図２０】本実施形態にかかる報知手段の動作の具体例を表す模式的概略図である。
【図２１】本実施形態にかかる浴室衣類乾燥装置が正常電圧と接続されているかを判断するフローチャートである。
【図２２】本実施形態にかかる浴室衣類乾燥装置が正常電圧と接続されているかを判断する具体的なフローチャートである。
【図２３】本実施形態にかかる浴室衣類乾燥装置の回転数と指示電圧の関係を示す概念図である。
【図２４】本実施形態にかかる浴室衣類乾燥装置が正常電圧と接続されているかを判断する他の具体的なフローチャートである。
【図２５】本実施形態にかかる浴室衣類乾燥装置が正常電圧と接続されているかを判断する他の具体的なフローチャートである。
【図２６】本実施形態にかかる浴室衣類乾燥装置が正常電圧と接続されているかを判断する他の具体的なフローチャートである。
【図２７】本実施形態にかかる浴室衣類乾燥装置が正常電圧と接続されているかを判断する他の具体的なフローチャートである。
【図２８】本実施形態にかかる浴室衣類乾燥装置の回転数と指示電圧の関係を示す他の概念図である。
【図２９】本実施形態にかかる浴室衣類乾燥装置のファンモータの制御ブロック図である。
【図３０】本実施形態にかかる浴室衣類乾燥装置の風量一定制御の動作のフローチャートである。
【発明を実施するための形態】
【００４１】
以下、本発明の実施の形態について図面を参照しつつ説明する。なお、各図面中、同様の構成要素には同一の符号を付して詳細な説明は適宜省略する。  
図１は、本発明の実施の形態にかかる浴室衣類乾燥装置が設置された浴室を表す模式的断面図である。  
また、図２は、本実施形態にかかる浴室衣類乾燥装置の要部構成を表すブロック図である。  
また、図３は、本実施形態にかかる他の浴室衣類乾燥装置の要部構成を表すブロック図である。  
また、図４は、本実施形態にかかる浴室衣類乾燥装置の衣類乾燥運転を説明する模式的概念図である。  
なお、図２および図３に表したブロック図は、風路系統と電気系統とを併せて表している。
【００４２】
図１に表したように、本実施形態にかかる浴室衣類乾燥装置１００は、浴室１０の天井１１などに設置されている。本実施形態にかかる浴室衣類乾燥装置１００は、例えば、ヒータの出力を行い浴室１０の内部に温風を送るとともに浴室１０の内部の空気の一部を換気する「温風乾燥運転」と、浴室１０の内部の空気を換気する「換気運転」と、浴室１０の内部の空気を暖める「暖房運転」と、ヒータの出力を行わず浴室１０の内部に空気を送るとともに浴室１０の内部の空気の一部を換気する「涼風乾燥運転」と、を実行することができる。
【００４３】
本実施形態にかかる浴室衣類乾燥装置１００は、例えば、浴室１０のみの換気を行う「１ファンタイプ」などと呼ばれる浴室衣類乾燥装置１００ａと、浴室１０と浴室１０に隣接する洗面所やトイレなどとの換気を行う「２ファンタイプ」などと呼ばれる浴室衣類乾燥装置１００ｂと、に分類される。
【００４４】
図２に表したように、「１ファンタイプ」の浴室衣類乾燥装置１００ａは、内部流路１２５と、センサ１３１と、ファン１３３と、ダンパ１３５と、ヒータ１３７と、排出経路１２７と、制御手段１１０と、を備える。
【００４５】
内部流路１２５は、空気を吸い込む吸込口１２１と空気を吹き出す吹出口１２３とを連通し、吸込口１２１から吸い込まれた空気を吹出口１２３へ導くことができる。ファン１３３は、内部流路１２５に設けられている。ファン１３３は、吸込口１２１から空気を吸い込み、吸込口１２１から吸い込まれた内部流路１２５の空気に流れを発生させる。ダンパ１３５は、適宜駆動することにより、ファン１３３から送られてきた空気を吹出口１２３へ向かう内部流路１２５へ送る割合と、排出経路１２７へ送る割合と、を変更する。排出経路１２７は、ダンパ１３５において内部流路１２５から分岐し、吸込口１２１から吸い込まれた内部流路１２５の空気の少なくとも一部を浴室１０の外部へ排出する。センサ１３１は、内部流路１２５を流れる空気の温度を検出することができる。制御手段１１０は、ファン１３３と、ダンパ１３５と、ヒータ１３７と、の動作を制御することができる。
【００４６】
一方、「２ファンタイプ」の浴室衣類乾燥装置１００ｂは、「１ファンタイプ」の浴室衣類乾燥装置１００ａが１つのファン１３３を備えるのに対して、２つのファンを備える。すなわち、図３に表したように、「２ファンタイプ」の浴室衣類乾燥装置１００ｂは、循環用ファン１３３ａと、換気用ファン１３３ｂと、を備える。循環用ファン１３３ａは、内部流路１２５に設けられ、「温風乾燥運転」、「暖房運転」、および「涼風乾燥運転」を実行する場合に用いられる。循環用ファン１３３ａは、吸込口１２１から空気を吸い込み、吸込口１２１から吸い込まれた内部流路１２５の空気に流れを発生させる。換気用ファン１３３ｂは、ダンパ１３５よりも下流側の排出経路１２７に設けられている。換気用ファン１３３ｂは、ダンパ１３５の開口部から空気を吸い込み、ダンパ１３５の開口部から吸い込まれた排出経路１２７の空気に流れを発生させる。その他の要部構成は、図２に関して前述した「１ファンタイプ」の浴室衣類乾燥装置１００ａの要部構成と同様である。
【００４７】
ここで、浴室衣類乾燥装置１００は、「温風乾燥運転」を実行する場合には、図１に表した矢印Ａ１のように例えば浴室１０の図示しないドアのガラリなどから空気を吸い込むとともに、吸込口１２１から内部流路１２５へ空気を吸い込む。そして、図１に表した矢印Ａ２のように、浴室衣類乾燥装置１００は、吸込口１２１から吸い込まれた内部流路１２５の空気の一部をヒータ１３７により暖められた空気（温風）として浴室１０の内部に送り込む。また、図１に表した矢印Ａ５のように、浴室衣類乾燥装置１００は、吸込口１２１から吸い込まれた内部流路１２５の空気の他の一部を浴室１０の外部へ排出し、浴室１０の内部の空気を換気する。
【００４８】
浴室１０の内部に送り込まれた温風の熱は、図１に表した矢印Ａ３および矢印Ａ４のように衣類２１を乾燥させるために用いられたり、図１に表した矢印Ａ５のように浴室衣類乾燥装置１００の換気運転により浴室１０の外部へ排出されたり、浴室１０の壁１３を介した熱伝達により浴室１０の外部へ排出される。
【００４９】
ここで、本発明者は、衣類乾燥運転においてヒータ１３７の出力を継続して行うと、その出力時間の後半においては、その出力時間の前半と比較して、ヒータ１３７で発生した熱（浴室１０の内部に投入された温風の熱）が衣類２１の乾燥に使われず、浴室１０の壁１３を介した熱伝達により浴室１０の外部へ逃げやすくなるという知見を得た。言い換えれば、本発明者は、ヒータ１３７の出力を比較的長く継続して行う衣類乾燥運転の場合、ヒータ１３７の出力時間の後半では、浴室１０の壁１３と浴室１０の外部との温度差が大きくなりやすく、その温度差が大きくなった状態が続くため、浴室１０の壁１３に伝わった熱が浴室１０の外部に逃げやすくなるという知見を得た。例えば、本発明者は、検討の結果、衣類乾燥運転においてヒータ１３７の出力を継続して行うと、その出力時間の後半においては、浴室１０の内部に投入された温風の熱（矢印Ａ２参照）のうちの５０％以上の熱が浴室１０の壁１３を介した熱伝達（矢印Ａ６参照）により浴室１０の外部へ逃げているという知見を得た。  
なお、本願明細書において「衣類乾燥運転」とは、本実施形態にかかる浴室衣類乾燥装置１００が浴室１０の衣類２１を乾燥させる一連の運転をいうものとし、「温風乾燥運転」および「涼風乾燥運転」の少なくともいずれかを含む運転をいうものとする。
【００５０】
これに対して、本実施形態にかかる浴室衣類乾燥装置１００の制御手段１１０は、図４に表したように、ヒータ１３７の出力時間（温風乾燥時間）を第１の温風乾燥時間と第２の温風乾燥時間とに分け、第１の温風乾燥時間と第２の温風乾燥時間との間に、ヒータ１３７の出力を行わず浴室１０の空気を循環させる時間（涼風乾燥時間）を設けたエコ乾燥運転を行うことができる。
【００５１】
これによれば、ヒータ１３７の出力時間の後半における浴室１０の壁１３から浴室１０の外部に逃げる熱を減らすことが可能になるとともに、ヒータ１３７の出力を行わない涼風乾燥運転の涼風の流れを利用して、涼風乾燥時間を設けずにヒータ１３７の出力を継続して行う衣類乾燥運転に比べてヒータ１３７の出力時間を全体的に短縮することが可能になる。そのため、省エネルギー化を図りつつ乾燥効率の向上を図ることができる。
【００５２】
次に、本実施形態にかかる浴室衣類乾燥装置１００の具体例について、図面を参照しつつ説明する。  
図５は、本実施形態の浴室衣類乾燥装置の具体例を例示する模式的断面図である。  
また、図６は、本具体例の暖房運転時におけるダンパの位置を表す模式的断面図である。  
また、図７は、本具体例の温風乾燥運転および涼風乾燥運転時のダンパの位置を表す模式的断面図である。  
また、図８は、本具体例の換気運転時のダンパの位置を表す模式的断面図である。
【００５３】
本具体例の浴室衣類乾燥装置１００ａは、図２に関して前述したいわゆる「１ファンタイプ」の浴室衣類乾燥装置である。図５〜図８に表したように、本具体例の浴室衣類乾燥装置１００ａは、筐体１０１と、内部流路１２５と、センサ１３１と、ファン１３３と、ダンパ１３５と、ヒータ１３７と、排出経路１２７と、を備える。内部流路１２５と、センサ１３１と、ファン１３３と、ダンパ１３５と、ヒータ１３７と、排出経路１２７と、は、筐体１０１の内部に設けられている。図５に表した矢印Ａ１１のように、吸込口１２１から吸い込まれた空気は、内部流路１２５およびファン１３３により吹出口１２３へ導かれる。その他の構成および構造は、図２に関して前述した如くである。
【００５４】
ここで、浴室衣類乾燥装置１００ａが「暖房運転」を実行する場合には、図６に表したように、ダンパ１３５は、排出経路１２７を塞いでいる。そのため、図６に表した矢印Ａ１２のように、吸込口１２１から吸い込まれた内部流路１２５の空気の全てが吹出口１２３へ向かう内部流路１２５へ導かれる。そして、吹出口１２３へ向かう空気は、ヒータ１３７により暖められて温風として浴室１０の内部に送り込まれる。つまり、浴室衣類乾燥装置１００ａが「暖房運転」を実行する場合には、浴室１０の内部の空気の換気は行われない。
【００５５】
また、浴室衣類乾燥装置１００ａが「温風乾燥運転」および「涼風乾燥運転」を実行する場合には、図７に表したように、ダンパ１３５は、排出経路１２７の一部を開放している。そのため、図７に表した矢印Ａ１３のように、吸込口１２１から吸い込まれた内部流路１２５の空気の一部は、排出経路１２７へ導かれ浴室１０の外部へ排出される。また、図７に表した矢印Ａ１４のように、吸込口１２１から吸い込まれた内部流路１２５の空気の他の一部は、吹出口１２３へ向かう内部流路１２５へ導かれる。つまり、浴室衣類乾燥装置１００ａが「温風乾燥運転」および「涼風乾燥運転」を実行する場合には、吹出口１２３から浴室１０へ空気を吹出し、浴室１０の空気を循環させるとともに、吸込口１２１から吸い込まれた内部流路１２５の空気の一部を換気している。
【００５６】
そして、「温風乾燥運転」の場合には、吹出口１２３へ向かう空気は、ヒータ１３７により暖められて温風として浴室１０の内部に送り込まれる。一方で、「涼風乾燥運転」の場合には、制御手段１１０がヒータの出力を停止し、吹出口１２３へ向かう空気は、ヒータ１３７で暖められることなく涼風として浴室１０の内部に送り込まれる。
【００５７】
また、浴室衣類乾燥装置１００ａが「換気運転」を実行する場合には、図８に表したように、ダンパ１３５は、排出経路１２７を全開とし、吹出口１２３へ向かう内部流路１２５を塞いでいる。そのため、図８に表した矢印Ａ１５のように、吸込口１２１から吸い込まれた内部流路１２５の空気の全てが排出経路１２７へ導かれ浴室１０の外部へ排出される。
【００５８】
図９は、本実施形態の浴室衣類乾燥装置の具体例を例示する模式的断面図である。  
本具体例の浴室衣類乾燥装置１００ｂは、図３に関して前述したいわゆる「２ファンタイプ」の浴室衣類乾燥装置である。
【００５９】
図９に表したように、本具体例の浴室衣類乾燥装置１００ｂは、第１の筐体１０１ａと、第２の筐体１０１ｂと、内部流路１２５と、センサ１３１と、循環用ファン１３３ａと、換気用ファン１３３ｂと、ダンパ１３５と、ヒータ１３７と、排出経路１２７と、を備える。内部流路１２５と、センサ１３１と、循環用ファン１３３ａと、ヒータ１３７と、は、第１の筐体１０１ａの内部に設けられている。また、換気用ファン１３３ｂと、排出経路１２７と、は、第２の筐体１０１ｂの内部に設けられている。また、ダンパ１３５は、第１の筐体１０１ａと第２の筐体１０１ｂとの接続部に設けられている。
【００６０】
第１の筐体１０１ａと第２の筐体１０１ｂとは、図示しない接続口により互いに連通している。そのため、例えば、図９に表したダンパ１３５ｂおよびダンパ１３５ｃのように、ダンパ１３５が開いている場合には、吸込口１２１から吸い込まれた内部流路１２５の空気の少なくとも一部は、排出経路１２７へ流れることができる。その他の構成および構造は、図３に関して前述した如くである。
【００６１】
ここで、浴室衣類乾燥装置１００ｂが「暖房運転」を実行する場合には、図９に表したダンパ１３５ａのように、ダンパ１３５は、接続口および排出経路１２７を塞いでいる。そのため、図９に表した矢印Ａ２１のように、吸込口１２１から吸い込まれた内部流路１２５の空気の全てが吹出口１２３へ向かう内部流路１２５へ導かれる。その他の空気の流れは、図６に関して前述した「１ファンタイプ」の浴室衣類乾燥装置１００ａの「暖房運転」における空気の流れと同様である。
【００６２】
また、浴室衣類乾燥装置１００ｂが「温風乾燥運転」および「涼風乾燥運転」を実行する場合には、図９に表したダンパ１３５ｂのように、ダンパ１３５は、接続口および排出経路１２７の一部を開放している。そのため、吸込口１２１から吸い込まれた内部流路１２５の空気の一部は、排出経路１２７へ導かれ、第２の筐体１０１ｂに設けられた排気用接続口１２９を通して浴室１０の外部へ排出される。その他の空気の流れは、図７に関して前述した「１ファンタイプ」の浴室衣類乾燥装置１００ａの「温風乾燥運転」および「涼風乾燥運転」における空気の流れと同様である。
【００６３】
また、浴室衣類乾燥装置１００ｂが「換気運転」を実行する場合には、図９に表したダンパ１３５ｃのように、ダンパ１３５は、接続口および排出経路１２７を全開としている。そのため、吸込口１２１から吸い込まれた内部流路１２５の空気の全てが排出経路１２７へ導かれ、排気用接続口１２９を通して浴室１０の外部へ排出される。
【００６４】
なお、第２の筐体１０１ｂには、排気用接続口１２９と、吸気用接続口１２８と、が設けられている。前述したように、排出経路１２７へ導かれた空気は、排気用接続口１２９を通して浴室１０の外部へ排出される。また、浴室１０に隣接する洗面所やトイレなどから吸い込まれた空気は、吸気用接続口１２８を通して筐体１０１ｂの内部へ導かれ、換気用ファン１３３ｂおよび排出経路１２７により排気用接続口１２９を通して浴室１０の外部へ排出される。
【００６５】
次に、本実施形態にかかる浴室衣類乾燥装置１００の動作の具体例について、図面を参照しつつ説明する。  
図１０は、本実施形態にかかる浴室衣類乾燥装置の動作の具体例を表すフローチャート図である。  
また、図１１は、本実施形態にかかる浴室衣類乾燥装置の動作の具体例を表す模式的概略図である。  
また、図１２は、衣類乾燥設定時間と外気温との関係におけるヒータ出力時間の一例を例示する表である。  
なお、図１１は、衣類重量が２キログラム（ｋｇ）、外気温が１５度（℃）、衣類乾燥時間（設定時間）が８時間である場合の動作を例示する模式的概略図である。
【００６６】
まず、使用者は、衣類乾燥運転を実行する場合には、浴室１０に吊した衣類２１の重量を推測し、衣類乾燥時間を図示しないリモコンなどにより設定する（ステップＳ１０１）。図１２に表したように、例えば、使用者は、衣類２１の重量が「２ｋｇ」と推測したときには、衣類乾燥時間を「８時間」に設定する。また、例えば、使用者は、衣類２１の重量が「５ｋｇ」と推測したときには、衣類乾燥時間を「１０時間」に設定する。また、例えば、使用者は、衣類２１の重量が「７ｋｇ」と推測したときには、衣類乾燥時間を「１２時間」に設定する。
【００６７】
図１１に表した具体例では、使用者は、衣類２１の重量が「２ｋｇ」と推測し、図１２に表した表に基づいて衣類乾燥時間を「８時間（４８０分）」に設定している。
【００６８】
続いて、使用者が衣類乾燥時間を設定すると、制御手段１１０は、運転を開始し、まず、涼風乾燥運転を実行する（ステップＳ１０３）。図７に関して前述したように、浴室衣類乾燥装置１００は、「涼風乾燥運転」を実行する場合には、浴室１０の空気を循環させるとともに、浴室１０の空気の一部を換気している。このように、本実施形態にかかる浴室衣類乾燥装置１００は、衣類乾燥運転の始めに浴室１０の内部の空気を排出する。
【００６９】
続いて、図１１に表したように、制御手段１１０は、所定時間（本具体例では３０分）が経過すると（ステップＳ１０５：Ｙｅｓ）、このときの浴室１０の気温（外気温）すなわち内部流路１２５を流れる空気の温度をセンサ１３１により検出する（ステップＳ１０７）。なお、ここでいう「所定時間」とは、涼風乾燥運転が開始されてから、浴室１０の内部の空気が十分に入れ替わり、浴室１０の気温が例えば洗面所や廊下などの気温（外気温）と同等となるまでの時間をいうものとする。そして、制御手段１１０は、センサ１３１により検出された温度に基づいてヒータ１３７の出力時間を決定する（ステップＳ１０９）。
【００７０】
続いて、制御手段１１０は、ヒータ１３７の出力時間を第１の温風乾燥時間と第２の温風乾燥時間とに分ける。さらに、制御手段１１０は、第１の温風乾燥時間と第２の温風乾燥時間との間に涼風乾燥時間を設ける。
【００７１】
図１１に表した具体例では、外気温が１５℃であるため、制御手段１１０は、図１２に表した表に基づいてヒータ出力時間を「９０分」に決定している。続いて、制御手段１１０は、ヒータ出力時間の「９０分」を第１の温風乾燥時間の「６０分」と第２の温風乾燥時間の「３０分」とに分けている。さらに、制御手段１１０は、第１の温風乾燥時間と第２の温風乾燥時間との間に涼風乾燥時間の「３６０分」を設けている。なお、第１の温風乾燥時間と第２の温風乾燥時間との間の涼風乾燥時間（３６０分）は、衣類乾燥時間（４８０分）から、運転開始時の涼風乾燥時間（３０分）と、第１の温風乾燥時間（６０分）と、第２の温風乾燥時間（３０分）と、を差し引くことで算出される。
【００７２】
続いて、制御手段１１０は、第１の温風乾燥運転を実行する（ステップＳ１１１）。続いて、制御手段１１０は、第１の温風乾燥時間（本具体例では６０分）が経過すると（ステップＳ１１３：Ｙｅｓ）、第１の温風乾燥運転を終了し涼風乾燥運転を実行する（ステップＳ１１５）。これにより、ヒータ１３７の出力時間の後半における浴室１０の壁１３から浴室１０の外部に逃げる熱を減らすことが可能になるとともに、涼風乾燥運転の涼風の流れを利用して、涼風乾燥時間を設けずにヒータ１３７の出力を継続して行う衣類乾燥運転に比べてヒータ１３７の出力時間を全体的に短縮することが可能になる。そのため、省エネルギー化を図りつつ乾燥効率の向上を図ることができる。
【００７３】
続いて、制御手段１１０は、涼風乾燥時間（本具体例では３６０分）が経過すると（ステップＳ１１７：Ｙｅｓ）、涼風乾燥運転を終了し第２の温風乾燥運転を実行する（ステップＳ１１９）。続いて、制御手段１１０は、第２の温風乾燥時間（本具体例では３０分）が経過すると（ステップＳ１２１：Ｙｅｓ）、第２の温風乾燥運転を終了し衣類乾燥運転を終了（停止）する（ステップＳ１２３）。
【００７４】
本具体例によれば、第１の温風乾燥時間は、第２の温風乾燥時間よりも長い。そのため、使用者が衣類乾燥運転を途中で取りやめて別の運転に変更したい場合でも、大部分の衣類の乾燥は終了している。そのため、使用者は、別の運転に変更しやすい。これにより、衣類の乾燥を急ぐ使用者のニーズに対応することができる。
【００７５】
また、本具体例の制御手段１１０は、第２の温風乾燥時間の終了と同時に衣類乾燥運転を終了（完了）する。つまり、第２の温風乾燥時間の終了が、衣類乾燥運転の完了の時間と一致している。これにより、第２の温風乾燥運転により衣類が温められ、衣類をふっくらとした状態に仕上げることができる。
【００７６】
また、本具体例の制御手段１１０は、衣類乾燥運転の始めにおいて、浴室１０の内部の空気を排出した後に内部流路１２５を流れる空気の温度をセンサ１３１により検出する。制御手段１１０は、浴室１０の内部の空気の排出が十分に終わっていないときに浴室１０の内部の温度をセンサ１３１により検出すると、外気温とは大きく異なる温度として誤検知するおそれがある。これに対して、本具体例では、制御手段１１０は、浴室１０の内部の空気を排出した後にセンサ１３１による温度検出を行うことで、誤検知を抑制することができる。
【００７７】
また、図５および図９に表したように、センサ１３１は、吸込口１２１とファン１３３（循環用ファン１３３ａ）との間の内部流路１２５のうちでファン１３３（循環用ファン１３３ａ）の側に配置されている。そのため、センサ１３１は、吸込口１２１から吸い込まれた空気の温度がより均一になりやすい部分の温度を検出する。これにより、センサ１３１は、空気の温度をより正確に検出することができ、ヒータの出力時間をより精度良く決定することができる。
【００７８】
次に、本実施形態にかかる浴室衣類乾燥装置１００の動作の具体例について、図面を参照しつつさらに説明する。  
図１３は、本実施形態にかかる浴室衣類乾燥装置の動作の具体例を表すタイミングチャート図である。  
本具体例の浴室衣類乾燥装置１００ａは、図２に関して前述したいわゆる「１ファンタイプ」の浴室衣類乾燥装置である。
【００７９】
まず、使用者が衣類乾燥時間を設定すると、制御手段１１０は、ファン１３３の運転を開始し、ダンパ１３５の位置を「暖房運転」の位置（図６参照）から「涼風乾燥運転・温風乾燥運転」の位置（図７参照）へ変更する（タイミングｔ１）。このとき、制御手段１１０は、ヒータ１３７の出力を停止しているため、涼風乾燥運転が実行される（タイミングｔ１〜ｔ２）。これにより、衣類乾燥運転の始めに浴室１０の内部の空気が排出される。
【００８０】
続いて、所定時間が経過すると、制御手段１１０は、ヒータ１３７の出力を行う（タイミングｔ２）。これにより、第１の温風乾燥運転が実行される（タイミングｔ２〜ｔ３）。続いて、第１の温風乾燥時間が経過すると、制御手段１１０は、ヒータ１３７の出力を停止する（タイミングｔ３）。これにより、涼風乾燥運転が実行される（タイミングｔ３〜ｔ４）。そして、涼風乾燥運転の涼風の流れを利用して、ヒータ１３７の出力時間の後半における浴室１０の壁１３から浴室１０の外部に逃げる熱を減らし、衣類２１の乾燥を継続することができる。
【００８１】
続いて、涼風乾燥時間が経過すると、制御手段１１０は、ヒータ１３７の出力を再び行う（タイミングｔ４）。これにより、第２の温風乾燥運転が実行される（タイミングｔ４〜ｔ５）。続いて、第２の温風乾燥時間が経過すると、制御手段１１０は、ヒータ１３７の出力を停止し、ファン１３３の運転を停止する。また、制御手段１１０は、ダンパ１３５の位置を「涼風乾燥運転・温風乾燥運転」の位置から「暖房運転」の位置へ変更する。これにより、衣類乾燥運転が終了する。
【００８２】
図１４は、本実施形態にかかる浴室衣類乾燥装置の動作の他の具体例を表すタイミングチャート図である。  
本具体例の浴室衣類乾燥装置１００ｂは、図３に関して前述したいわゆる「２ファンタイプ」の浴室衣類乾燥装置である。
【００８３】
まず、使用者が衣類乾燥時間を設定すると、制御手段１１０は、循環用ファン１３３ａおよび換気用ファン１３３ｂの運転を開始する（タイミングｔ１１）。このとき、制御手段１１０は、ヒータ１３７の出力を停止しているため、涼風乾燥運転が実行される（タイミングｔ１１〜ｔ１２）。これにより、衣類乾燥運転の始めに浴室１０の内部の空気が排出される。
【００８４】
続いて、タイミングｔ１２〜ｔ１４における動作は、図１３に関して前述した具体例のタイミングｔ２〜ｔ４における動作と同様である。  
続いて、第２の温風乾燥時間が経過すると、制御手段１１０は、ヒータ１３７の出力を停止し、循環用ファン１３３ａおよび換気用ファン１３３ｂの運転を停止する（タイミングｔ１５）。これにより、衣類乾燥運転が終了する。
【００８５】
図１５は、本実施形態にかかる浴室衣類乾燥装置の動作のさらに他の具体例を表すタイミングチャート図である。  
本具体例の浴室衣類乾燥装置１００ａは、図２に関して前述したいわゆる「１ファンタイプ」の浴室衣類乾燥装置である。
【００８６】
まず、タイミングｔ２１〜ｔ２３における動作は、図１３に関して前述した具体例のタイミングｔ１〜ｔ３における動作と同様である。  
続いて、制御手段１１０は、第１の温風乾燥時間が経過した後の涼風乾燥運転においても、第１の温風乾燥運転におけるファン１３３の回転数を維持し、排出経路１２７から浴室１０の外部に排出される空気の排出量（排気量）を維持する（タイミングｔ２３〜ｔ２４）。これにより、熱が浴室１０の壁１３に蓄積されている間において、排気量をより少量に維持することで浴室１０の壁１３に蓄積された熱が浴室１０の外部に排出される量をより少量に抑えることができる。
【００８７】
続いて、所定時間が経過すると、制御手段１１０は、ファン１３３の回転数を増加させ、排出経路１２７から浴室１０の外部に排出される空気の排出量を第１の温風乾燥時間における排気量よりも増加させる（タイミングｔ２４）。言い換えれば、涼風乾燥運転における空気の排出量は、第１の温風乾燥運転における空気の排出量よりも多い部分を有する。これによれば、浴室１０の壁１３に蓄積された熱が少なくなった後では熱の移動量がより少ないため、ファン１３３の回転数を増加させて空気の排出量を増加させることで衣類乾燥の促進を図ることができる。
【００８８】
続いて、涼風乾燥時間が経過すると、制御手段１１０は、ヒータ１３７の出力を再び行い、ファン１３３の回転数を第１の温風乾燥運転におけるファン１３３の回転数と同等とする（タイミングｔ２５）。これにより、第２の温風乾燥運転が実行される（タイミングｔ２５〜ｔ２６）。続いて、タイミングｔ２６における動作は、図１３に関して前述した具体例のタイミングｔ５における動作と同様である。
【００８９】
図１６は、本実施形態にかかる浴室衣類乾燥装置の動作のさらに他の具体例を表すタイミングチャート図である。  
本具体例の浴室衣類乾燥装置１００ｂは、図３に関して前述したいわゆる「２ファンタイプ」の浴室衣類乾燥装置である。
【００９０】
まず、タイミングｔ３１〜ｔ３３における動作は、図１４に関して前述した具体例のタイミングｔ１１〜ｔ１３における動作と同様である。  
続いて、制御手段１１０は、第１の温風乾燥時間が経過した後の涼風乾燥運転においても、第１の温風乾燥運転における換気用ファン１３３ｂの回転数を維持し、排出経路１２７から浴室１０の外部に排出される空気の排出量を維持する（タイミングｔ３３〜ｔ３４）。これにより、図１５に関して前述した効果と同様の効果が得られる。
【００９１】
続いて、所定時間が経過すると、制御手段１１０は、換気用ファン１３３ｂの回転数を増加させ、排出経路１２７から浴室１０の外部に排出される空気の排出量を第１の温風乾燥時間における排気量よりも増加させる（タイミングｔ３４）。言い換えれば、涼風乾燥運転における空気の排出量は、第１の温風乾燥運転における空気の排出量よりも多い部分を有する。これによれば、図１５に関して前述した効果と同様の効果が得られる。
【００９２】
続いて、涼風乾燥時間が経過すると、制御手段１１０は、ヒータ１３７の出力を再び行い、換気用ファン１３３ｂの回転数を第１の温風乾燥運転における換気用ファン１３３ｂの回転数と同等とする（タイミングｔ３５）。これにより、第２の温風乾燥運転が実行される（タイミングｔ３５〜ｔ３６）。続いて、タイミングｔ３６における動作は、図１４に関して前述した具体例のタイミングｔ１５における動作と同様である。
【００９３】
本実施形態にかかる浴室衣類乾燥装置１００のコントローラ２００には、図１７に示したように、「暖房運転」を操作する暖房ボタン２１０、「温風乾燥運転」を操作する乾燥ボタン２２０、「換気運転」を操作する換気ボタン２３０、「涼風乾燥運転」のみを操作する涼風ボタン２４０、「２４時間換気運転」を操作する２４時間換気ボタン２５０および浴室衣類乾燥装置１００の電源停止をする停止ボタン２６０が設けられている。また、コントローラ２００には、夫々の運転における運転状態などを表示する表示部２７０、夫々の運転における開始時刻や運転時間を予約するための予約ボタン２８０、＋ボタン２９０および−ボタン３００が設けられている。
【００９４】
例えば、「暖房運転」を予約したい場合、まず使用者が予約ボタン２８０を一度押して表示部２７０に「暖房運転」の開始時刻を表示させる。次に＋ボタン２９０や−ボタン３００を押して「暖房運転」の開始時刻を決めた後、予約したい「暖房運転」である暖房ボタン２１０を押して「暖房運転」を設定する。その後、表示部２７０に運転時間が表示されるので、＋ボタン２９０や−ボタン３００を押して「暖房運転」の運転時間を決めた後、予約ボタン２８０を押して「暖房運転」の予約運転を確定させる。尚、「暖房運転」以外の「換気運転」、「涼風乾燥運転」、「乾燥運転」においても、同様の方法によってその運転の予約運転を設定することができる。
【００９５】
「乾燥運転」を予約したい場合には、まず使用者が予約ボタン２８０を一度押して表示部２７０に「乾燥運転」の開始時刻を表示させる。次に＋ボタン２９０や−ボタン３００を押して「乾燥運転」の開始時刻を決めた後、予約したい「乾燥運転」である乾燥ボタン２２０を押して「乾燥運転」を設定する。その後、表示部２７０に運転時間が表示されるので、＋ボタン２９０や−ボタン３００を押して「乾燥運転」の運転時間を決める。所定時間が経過すると、表示部２７０に「温風乾燥運転」と「涼風乾燥運転」の時間比率が表示されるので、＋ボタン２９０や−ボタン３００を押してその時間比率を決める。そして、予約ボタン２８０を押して「暖房運転」の予約運転を確定させる。
【００９６】
本実施形態にかかる浴室衣類乾燥装置１００では、ファン１３３の回転数を設定された回転数になるように制御する回転数制御手段とファン１３３の駆動時におけるファン１３３の回転数を検出する回転数検出手段とを有する制御手段１１０、回転数検出手段が検出したファン１３３の回転数が基準値に対して所定の範囲内にある時に、ファン１３３の回転数が安定状態であることを使用者に点灯して報知する表示部２７０のＡＭランプ３１０及びＰＭランプ３２０を備えている。本実施形態にかかる浴室衣類乾燥装置１００では、報知手段として表示部２７０のＡＭランプ３１０及びＰＭランプ３２０を述べているが、それらの代わりに例えば浴室衣類乾燥装置１００などに設けられた音声手段で使用者に報知しても良いものとする。
【００９７】
図１８〜２０に表されるように、「換気運転」において、使用者が換気ボタン２３０を所定時間長押すと、浴室衣類乾燥装置１００は、コントローラ２２０の表示部２７０に設定されたファン１３３の回転数に対応する換気風量を点灯表示する。また、ファン１３３の回転数が第１範囲内（Ｎ６≦Ｎ≦Ｎ３）にある時には、表示部２７０のＡＭランプ３１０及びＰＭランプ３２０が点灯してファン１３３の回転数の制御状態が安定状態であることを報知するため、使用者が換気風量の確認時に換気風量の測定を簡単に精度良く行える。本実施形態にかかる浴室衣類乾燥装置１００では、「裏操作指示」として換気ボタン２３０の所定時間長押しを述べているが、コントローラに対する通常の操作以外の操作も含むものとする。
【００９８】
ファン１３３の回転数が第２範囲内（Ｎ５≦Ｎ＜Ｎ６、Ｎ３＜Ｎ≦Ｎ２）にある時には、表示部２７０のＡＭランプ３１０又はＰＭランプ３２０何れかを点灯してファン１３３の回転数が安定状態に近いことを報知する。また、ファン１３３の回転数が第３範囲内（Ｎ＜Ｎ５、Ｎ２＜Ｎ）にある時には、表示部２７０のＡＭランプ３１０又はＰＭランプ３２０何れかを点滅してファン１３３の回転数が安定状態から遠いことを報知する。このため、換気風量の確認時にファン１３３の回転数の制御状態がどの状態であるかどうか使用者が簡単に知ることができる。
【００９９】
本実施形態にかかる浴室衣類乾燥装置１００では、回転数検出手段が検出したファン１３３の回転数が基準値に対して所定の範囲内にある時に、又は回転数検出手段が検出したファン１３３の回転数の単位時間あたりの変化量が所定の範囲内にある時に、ファン１３３の回転数が安定状態であることを使用者に報知する表示部２７０のＡＭランプ３１０及びＰＭランプ３２０を備えるため、換気装置の設置現場の換気風量が所定の換気風量を満たしているかどうか使用者が確認する際、換気風量の測定を簡単に精度良く行うことができる。
【０１００】
また、本実施形態にかかる浴室衣類乾燥装置１００では、使用者が換気風量を測定する時に、ファン１３３の回転数が安定状態であることを使用者に報知する表示部２７０のＡＭランプ３１０及びＰＭランプ３２０が、コントローラ２００の換気ボタン２３０と共に設けられているので、ファン１３３の回転数が安定状態である旨を使用者が簡単に把握しやすい。また、使用者がコントローラ２００の表示部２７０を目視で確認しながら、換気風量の測定のタイミングを決定することが可能となるので、使用者が換気風量の測定をより簡単に行うことができる。
【０１０１】
また、本実施形態にかかる浴室衣類乾燥装置１００では、ファン１３３の回転数が安定状態である旨の表示を、使用者が換気風量を測定する時に表示させ、通常の使用時には表示されないため、通常の使用時における使用者の不必要な混乱を避けることが可能で使用者の使い勝手の良い。また、ファン１３３の回転数が安定状態である旨の表示を使用者が解除し忘れたとしても、所定時間が経過することによって、通常の使用状態に復帰するので、使用者の作業性を向上させることができる。
【０１０２】
制御手段１１０は、演算処理を行うＣＰＵや、情報を記憶するメモリを備えている。使用者の操作により、コントローラ２００は制御手段１１０に操作信号を送信する。制御手段１１０は、受信したその操作信号に基づいて、ファンモータを駆動させてファン１３３を回転駆動させたり、ダンパモータを駆動させてダンパ１３５の停止位置を変更したり、ヒータ１３７を駆動させたりすることができる。ＣＰＵは、メモリに記憶された情報を適宜参照し、その情報に基づいた処理を行うほか、メモリに新たな情報を記憶させることができる。
【０１０３】
本実施形態の場合、ファンモータ、ダンパモータ、ヒータ１３７に供給する電力は、電源回路から制御手段１１０を介して供給される。電源回路は、この浴室衣類乾燥装置１００が設置される家屋に設けられている商業電源に直結されており、商業電源から電力が供給される。本実施形態の浴室衣類乾燥装置１００は、自らが対応する電源電圧（例えば２００Ｖ）と異なる電圧の商業電源（例えば１００Ｖ）に接続されていないかを、イニシャルチェックとして制御手段１１０によって自動的に判断する機能を備えている。その判断フローについて図２１を参照しながら説明する。
【０１０４】
ステップＳ０１において、商業電源と電源回路とが接続され、更に浴室衣類乾燥装置１００の主電源スイッチ（図示せず）が投入された場合に、商業電源から電力供給がなされていると判断する。もっとも、商業電源と電源回路とが接続され、商業電源から供給される電力が制御手段１１０まで受け渡されている場合に、商業電源から電力供給がなされていると判断していることも好ましい態様である。このような判断手法によれば、設置業者が主電源スイッチ（図示せず）の投入を忘れた場合であっても、イニシャルチェックの実行が可能となる。
【０１０５】
ステップＳ０１において、商業電源から電力供給がなされていると検知した場合には、制御手段１１０はイニシャルチェックを実行する（ステップＳ０２）。最初にイニシャルチェックの実行を報知しても良い。具体的には、図１７に示すコントローラ２００に「イニシャルチェック中」といった情報が表示され、スピーカからは「イニシャルチェックの実行中です」といった音声が発せられる。
【０１０６】
制御手段１１０は、ステップＳ０３の電源電圧判断において、浴室衣類乾燥装置１００が対応する電源電圧の商業電源に接続されると判断すれば、イニシャルチェックを完了させ（ステップＳ０４）、浴室衣類乾燥装置１００の通常動作を実施する（ステップＳ０５）。一方、制御手段１１０は、自らが対応する電源電圧と異なる電圧の商業電源に接続されると判断すれば、誤電圧印加エラー報知動作を実施することになる（ステップＳ０６）。通電が一定時間経過した後の電源遮断、再通電ではイニシャルチェックを行わなくてもよい。また、誤電圧印加エラー報知動作中は一定時間経過したかどうかの計測を行わない方が好適である。
【０１０７】
図２２は、図２１のステップＳ０３の電源電圧判断において、浴室衣類乾燥装置１００が正常電圧と接続されているかを、ファンモータの回転数指示の検知結果に基づいて、判断するフローチャートである。制御手段１１０は、ファンモータの回転数を第１の回転数（例えば１０００ｐｐｍ）で回転するように制御する（ステップＳ１０１）。ステップＳ１０１において制御手段１１０がファンモータのモータ駆動ＩＣに指示電圧を印加すると、その経過時間が２０秒を過ぎたか否かを判断する（ステップＳ１０２）。
【０１０８】
制御手段１１０がファンモータのモータ駆動ＩＣに指示電圧を印加して２０秒経過の後、ファンモータの回転数を計測する（ステップＳ１０３）。ファンモータの回転数が第１の電圧に対応する回転数以上（例えば第１閾値９００ｐｐｍ以上）を２秒以上継続するとき、商業電源から供給される電圧が第１の電圧であると判定する（ステップＳ１０４）。一方、ファンモータの回転数が第１の電圧に対応する回転数以上（例えば第１閾値９００ｐｐｍ以上）を２秒以上継続しないとき、商業電源から供給される電圧が第２の電圧であると判定する（ステップＳ１０５）。
【０１０９】
図２３（ａ）は、電源電圧が第２の電圧である時のファンモータの最大回転数より、第１の回転数（例えば１０００ｐｐｍ）が大きいことを示している。第２の電源に対応する最大回転数（例えばバラツキの上限値である８００ｐｐｍ）より、第１の回転数（例えば１０００ｐｐｍ）が大きければ、制御手段１１０が第２の電圧であるを判定しやすくなる。
【０１１０】
図２３（ｂ）は、電源電圧が第１の電圧である時のファンモータの最小回転数（高指示電圧時）より、第１の回転数（例えば１０００ｐｐｍ）が小さいことを示している。第１の電源に対応する最小回転数（例えばバラツキの下限値である１１００ｐｐｍ）より、第１の回転数（例えば１０００ｐｐｍ）が小さければ、制御手段１１０が第１の電圧でないことを判定しやすくなる。
【０１１１】
図２４は、図２１のステップＳ０３の電源電圧判断において、浴室衣類乾燥装置１００が正常電圧と接続されているかを、ファンモータの回転数指示とファンモータの指示電圧の検知結果に基づいて、判断するフローチャートである。制御手段１１０は、ファンモータの回転数を第１の回転数（例えば１０００ｐｐｍ）で回転するように制御する（ステップＳ２０１）。制御手段１１０がファンモータのモータ駆動ＩＣに指示電圧を印加すると、その経過時間が２０秒を過ぎたか否かを判断する（ステップＳ２０２）。
【０１１２】
制御手段１１０がファンモータのモータ駆動ＩＣに指示電圧を印加して２０秒経過の後、指示電圧を計測する（ステップＳ２０３）。その指示電圧が第１の電圧に対応する第１閾値４Ｖ以下を２秒以上継続するとき、商業電源から供給される電圧が第１の電圧であると判定する（ステップＳ２０４）。一方、その指示電圧が第２の電圧に対応する第１閾値４Ｖ以上を２秒以上継続し、その指示電圧が第２閾値４．５Ｖに達するとき（ステップＳ２０５）、商業電源から供給される電圧が第２の電圧であると判定する（ステップＳ２０６）。図２８（ａ）に、回転数と指示電圧の関係を示す概念図を示している。
【０１１３】
その指示電圧が第２の電圧に対応する第１閾値４Ｖ以上を２秒以上継続し、その指示電圧が第２閾値４．５Ｖ以下である場合（ステップＳ２０５）、制御手段１１０は、更に、ファンモータの回転数を第２の回転数以上（例えば１５００ｐｐｍ以上）で回転するように制御する（ステップＳ２０７）。制御手段１１０がファンモータのモータ駆動ＩＣに指示電圧を印加すると、その経過時間が２０秒を過ぎたか否かを判断する（ステップＳ２０８）。
【０１１４】
制御手段１１０がファンモータのモータ駆動ＩＣに指示電圧を印加して２０秒経過の後、ファンモータの回転数を計測する（ステップＳ２０９）。ファンモータの回転数が第１の電圧に対応する回転数以上（例えば第３閾値１２００ｐｐｍ以上）を２秒以上継続するとき、商業電源から供給される電圧が第１の電圧であると判定する（ステップＳ２１０）。一方、ファンモータの回転数が第１の電圧に対応する回転数以上（例えば第３閾値１２００ｐｐｍ以上）を２秒以上継続しないとき、商業電源から供給される電圧が第２の電圧であると判定する（ステップＳ２１１）。
【０１１５】
図２５は、図２１のステップＳ０３の電源電圧判断において、浴室衣類乾燥装置１００が正常電圧と接続されているかを、ファンモータの回転数指示とファンモータの指示電圧の検知結果に基づいて、判断するフローチャートである。制御手段１１０は、ファンモータの回転数を第１の回転数（例えば１０００ｐｐｍ）で回転するように制御する（ステップＳ３０１）。制御手段１１０がファンモータのモータ駆動ＩＣに指示電圧を印加すると、その経過時間が２０秒を過ぎたか否かを判断する（ステップＳ３０２）。
【０１１６】
制御手段１１０がファンモータのモータ駆動ＩＣに指示電圧を印加して２０秒経過の後、指示電圧を計測する（ステップＳ３０３）。その指示電圧が第１の電圧に対応する第１閾値４Ｖ以下を２秒以上継続するとき、商業電源から供給される電圧が第１の電圧であると判定する（ステップＳ３０４）。一方、その指示電圧が第２の電圧に対応する第１閾値４Ｖ以上を２秒以上継続し、その指示電圧が第２閾値４．５Ｖに達するとき（ステップＳ３０５）、商業電源から供給される電圧が第２の電圧であると判定する（ステップＳ３０６）。
【０１１７】
その指示電圧が第２の電圧に対応する第１閾値４Ｖ以上を２秒以上継続し、その指示電圧が第２閾値４．５Ｖ以下である場合（ステップＳ３０５）、制御手段１１０は、更に、ファンモータの回転数を第２の回転数以上（例えば１５００ｐｐｍ以上）で回転するように制御する（ステップＳ３０７）。制御手段１１０がファンモータのモータ駆動ＩＣに指示電圧を印加すると、その経過時間が２０秒を過ぎたか否かを判断する（ステップＳ３０８）。
【０１１８】
制御手段１１０がファンモータのモータ駆動ＩＣに指示電圧を印加して２０秒経過の後、指示電圧を計測する（ステップＳ３０９）。その指示電圧が第１の電圧に対応する第３閾値６Ｖ以下を２秒以上継続するとき、商業電源から供給される電圧が第１の電圧であると判定する（ステップＳ３１０）。一方、その指示電圧が第２の電圧に対応する第３閾値６Ｖ以上を２秒以上継続するとき、商業電源から供給される電圧が第２の電圧であると判定する（ステップＳ３１１）。
【０１１９】
図２６は、図２１のステップＳ０３の電源電圧判断において、浴室衣類乾燥装置１００が正常電圧と接続されているかを、ファンモータの回転数指示とファンモータの指示電圧の検知結果に基づいて、判断するフローチャートである。制御手段１１０は、ファンモータの回転数を第１の回転数（例えば１０００ｐｐｍ）で回転するように制御する（ステップＳ４０１）。制御手段１１０がファンモータのモータ駆動ＩＣに指示電圧を印加すると、その経過時間が２０秒を過ぎたか否かを判断する（ステップＳ４０２）。
【０１２０】
制御手段１１０がファンモータのモータ駆動ＩＣに指示電圧を印加して２０秒経過の後、指示電圧を計測する（ステップＳ４０３）。その指示電圧が第１の電圧に対応する第１閾値４Ｖ以下を２秒以上継続するとき、商業電源から供給される電圧が第１の電圧であると判定する（ステップＳ４０４）。一方、その指示電圧が第２の電圧に対応する第１閾値４Ｖ以上を２秒以上継続し、その指示電圧が第２閾値４．５Ｖに達するとき（ステップＳ４０５）、商業電源から供給される電圧が第２の電圧であると判定する（ステップＳ４０６）。
【０１２１】
その指示電圧が第２の電圧に対応する第１閾値４Ｖ以上を２秒以上継続し、その指示電圧が第２閾値４．５Ｖ以下である場合（ステップＳ４０５）、制御手段１１０は、更に、ファンモータのモータ駆動ＩＣに第２閾値（例えば４．５Ｖ）よりも高い第３閾値（例えば６Ｖ）を印加してファンモータを回転させる（Ｓ４０７）。制御手段１１０がファンモータのモータ駆動ＩＣに指示電圧を印加すると、その経過時間が２０秒を過ぎたか否かを判断する（ステップＳ４０８）。制御手段１１０がファンモータのモータ駆動ＩＣに指示電圧を印加すると、その経過時間が２０秒を過ぎたか否かを判断する（ステップＳ４０８）。
【０１２２】
制御手段１１０がファンモータのモータ駆動ＩＣに指示電圧を印加して２０秒経過の後、ファンモータの回転数を計測する（ステップＳ４０９）。ファンモータの回転数が第１の電圧に対応する回転数以上（例えば第３閾値１２００ｐｐｍ以上）を２秒以上継続するとき、商業電源から供給される電圧が第１の電圧であると判定する（ステップＳ４１０）。一方、ファンモータの回転数が第１の電圧に対応する回転数以上（例えば第１閾値１２００ｐｐｍ以上）を２秒以上継続しないとき、商業電源から供給される電圧が第２の電圧であると判定する（ステップＳ４１１）。
【０１２３】
図２７は、図２１のステップＳ０３の電源電圧判断において、浴室衣類乾燥装置１００が正常電圧と接続されているかを、ファンモータの回転数指示とファンモータの指示電圧の検知結果に基づいて、判断するフローチャートである。制御手段１１０は、ファンモータのモータ駆動ＩＣに第１閾値（例えば４Ｖ）を印加してファンモータを回転させる（Ｓ６０１）。制御手段１１０がファンモータのモータ駆動ＩＣに指示電圧を印加すると、その経過時間が２０秒を過ぎたか否かを判断する（ステップＳ５０２）。
【０１２４】
制御手段１１０がファンモータのモータ駆動ＩＣに指示電圧を印加して２０秒経過の後、ファンモータの回転数を計測する（ステップＳ５０３）。ファンモータの回転数が第１の電圧に対応する回転数以上（例えば第１閾値９００ｐｐｍ以上）を２秒以上継続するとき、商業電源から供給される電圧が第１の電圧であると判定する（ステップＳ５０４）。一方、ファンモータの回転数が第１の電圧に対応する回転数以上（例えば第１閾値９００ｐｐｍ以上）を２秒以上継続せず、第１の電圧に対応する回転数以上（例えば第２閾値８００ｐｐｍ以上）にも達しないとき（ステップＳ５０５）、商業電源から供給される電圧が第２の電圧であると判定する（ステップＳ５０６）。図２８（ｂ）に、回転数と指示電圧の関係を示す概念図を示している。
【０１２５】
ファンモータの回転数が第１の電圧に対応する回転数以上（例えば第１閾値９００ｐｐｍ以上）を２秒以上継続しないが、第１の電圧に対応する回転数以上（例えば第２閾値８００ｐｐｍ以上）に達する場合（ステップＳ５０５）、制御手段１１０は、更に、ファンモータのモータ駆動ＩＣに第１閾値（例えば４Ｖ）よりも高い第２閾値（例えば６Ｖ）を印加してファンモータを回転させる（Ｓ４０７）。制御手段１１０がファンモータのモータ駆動ＩＣに指示電圧を印加すると、その経過時間が２０秒を過ぎたか否かを判断する（ステップＳ５０８）。
【０１２６】
制御手段１１０がファンモータのモータ駆動ＩＣに指示電圧を印加して２０秒経過の後、ファンモータの回転数を計測する（ステップＳ５０９）。ファンモータの回転数が第１の電圧に対応する回転数以上（例えば第３閾値１２００ｐｐｍ以上）を２秒以上継続するとき、商業電源から供給される電圧が第１の電圧であると判定する（ステップＳ５１０）。一方、ファンモータの回転数が第１の電圧に対応する回転数以上（例えば第３閾値１２００ｐｐｍ以上）を２秒以上継続しないとき、商業電源から供給される電圧が第２の電圧であると判定する（ステップＳ５１１）。
【０１２７】
また、浴室衣類乾燥装置が正常電圧と接続されているかを判断する際、図２７のＳ５０７〜Ｓ５１１において、図２５のＳ３０７〜Ｓ３１１または図２６のＳ４０７〜Ｓ４１１に変更しても、図２７の電源電圧判断と同様の効果を得ることができる。
【０１２８】
平成１５年の建築基準法の改正により、シックハウス対策として居室を０．５回/ｈ以上換気できる機械換気設備の設置が義務付けられている。そこで、浴室衣類乾燥装置１００は、部屋の空気を室外に排気する風量を一定にすることにより、部屋の空気を室外に確実に排気している。部屋の空気を室外に排気する風量を一定に制御するためには、排出経路１２７に接続される排気ダクトの排気圧損の検出が必要になるが、排気圧損が分かれば、制御手段１１０がその排気圧損で所定の風量になるようにファンモータの回転数を設定してやれば良い。
【０１２９】
図２９にファンモータの制御ブロック図を示す。ファンモータは、ＤＣブラシレス高圧ファンモータであり、制御手段１１０は、そのファンモータに商業電源ＡＣ２００Ｖを整流・平滑したＤＣ２８３Ｖを印加する。ファンモータのモータ駆動ＩＣがＣＰＵの指令電圧の大きさに応じたデューティでパワーICの通電を制御することによりファンモーターの通電を制御する。また、ファンモータの回転軸に備えられたホールＩＣからファンモータの回転数に応じた回転数パルス信号をＣＰＵに出力する。部屋の空気を室外に排気する風量が一定となる風量一定制御では、ファンモータの回転数（Ｎ）についてはファンモータからの回転数パルス信号にて検出することができる。一方、ファンモータの仕事（Ｗ）については「ファンモータの電力（Ｗ）」からファンモータの仕事（Ｗ）を推定する。浴室衣類乾燥装置１００は、回転数（Ｎ）とファンモータの仕事（Ｗ）が分かれば、ファンモータの仕事（Ｗ）に対するトルク（Ｔ）と回転数（Ｎ）の関係から排気圧損を判定し、排気ダクトの外風圧やフィルターの埃詰まり等の外乱による圧損変化に対応できる。
【０１３０】
図３０に浴室衣類乾燥装置１００の風量一定制御の動作のフローチャートを示す。制御手段１１０は、通常動作時に換気運転が開始される（ステップＳ６０２）と、まずｎ＝０として目標回転数Ｎ０にてファンモータの回転数が一定となるように駆動させる（ステップＳ６０３、Ｓ６０４）。制御手段１１０は、ファンモータの起動時は回転数安定のために、所定時間継続して目標回転数Ｎ０でファンモータを駆動させ続ける（ステップＳ６０５）。その後、制御手段１１０は、さらに所定時間経過後、検出したファンモータの印加電圧と通電電流から「ファンモータの電力（Ｗ）」を計算してそれを平均してファンモータの平均電力（Ｗ）を求める（ステップＳ６０６）。次に、予めメモリに記憶された制御テーブルからＷｎ＋１とＷｎ−１を取り出しファンモータの平均電力（Ｗ）と比較する（ステップＳ６０７）。Ｗ＜Ｗｎ−１であればｎの値を＋１して（ステップＳ６０８）、Ｗ＞Ｗｎ＋１であればｎの値を−１して（ステップＳ６０９）制御テーブルから新しい回転数の変更を繰り返す。Ｗ＜Ｗｎ＋１でもＷ＞Ｗｎ−１でもなければｎの値はそのままで回転数Ｎｎの運転を続ける。この状態になれば、所定の風量一定制御で運転していることとなる。
【０１３１】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【０１３２】
１０        ：浴室
１１        ：天井
１３        ：壁
２１        ：衣類
１００      ：浴室衣類乾燥装置
１０１      ：筐体
１０１ａ    ：第１の筐体
１０１ｂ    ：第２の筐体
１１０      ：制御手段
１２１      ：吸込口
１２３      ：吹出口
１２５      ：内部流路
１２７      ：排出経路
１２８      ：吸気用接続口
１２９      ：排気用接続口
１３１      ：センサ
１３３      ：ファン
１３３ａ    ：循環用ファン
１３３ｂ    ：換気用ファン
１３５      ：ダンパ
１３７      ：ヒータ
２００      ：コントローラ
２１０      ：暖房ボタン
２２０      ：乾燥ボタン
２３０      ：換気ボタン
２４０      ：涼風ボタン
２５０      ：２４時間換気ボタン
２６０      ：停止ボタン
２７０      ：表示部
２８０      ：予約ボタン
２９０      ：＋ボタン
３００      ：−ボタン
３１０      ：ＡＭランプ
３２０      ：ＰＭランプ
【要約】
【課題】商業電源から供給される電源電圧が第１の電圧より低い第２の電圧であるかを判定する場合において、モータが回転する際に生じる騒音を抑えることができる換気装置を提供することにある。
【解決手段】部屋の空気を換気する換気装置であって、部屋の空気を室外に排気する排出風路と、排出風路に設けられたファンと、商業電源を使用してファンの運転を制御する制御部と、商業電源から供給される電圧が第１の電圧より低い第２の電圧であるかを判定する判定部と、を備え、判定部は、ファンの回転数を第１の回転数で回転するように、制御部がファンの運転を制御した場合において、ファンの回転数が第１の電圧に対応する回転数に達しないとき、商業電源から供給される電圧が第２の電圧であると判定することを特徴とする。
【選択図】図１【図１】
0005874943.tif 000002
【図２】
0005874943.tif 000003
【図３】
0005874943.tif 000004
【図４】
0005874943.tif 000005
【図５】
0005874943.tif 000006
【図６】
0005874943.tif 000007
【図７】
0005874943.tif 000008
【図８】
0005874943.tif 000009
【図９】
0005874943.tif 000010
【図１０】
0005874943.tif 000011
【図１１】
0005874943.tif 000012
【図１２】
0005874943.tif 000013
【図１３】
0005874943.tif 000014
【図１４】
0005874943.tif 000015
【図１５】
0005874943.tif 000016
【図１６】
0005874943.tif 000017
【図１７】
0005874943.tif 000018
【図１８】
0005874943.tif 000019
【図１９】
0005874943.tif 000020
【図２０】
0005874943.tif 000021
【図２１】
0005874943.tif 000022
【図２２】
0005874943.tif 000023
【図２３】
0005874943.tif 000024
【図２４】
0005874943.tif 000025
【図２５】
0005874943.tif 000026
【図２６】
0005874943.tif 000027
【図２７】
0005874943.tif 000028
【図２８】
0005874943.tif 000029
【図２９】
0005874943.tif 000030
【図３０】
0005874943.tif 000031